(57)【要約】【課題】コンプレッサーなどの複雑な装置を用いずに、持ち運びに便利で使い易いオーラルケアに用いる吐出製品を提供する。【解決手段】内容物５９を充填する容器本体１１と、内容物を加圧して噴射する噴射部材とからなり、噴射部材が内容物を加圧するポンプ１３と、加圧された内容物を外部に噴射するノズル１５ａとを備え、内容物０．０５〜１ｍｌを０．０５〜１秒間で噴射し、飛距離が１〜５ｍである吐出製品１０。ポンプ１３は、内圧が所定の値に達するまでノズル１５ａへの通路を開かず、達したときに通路を一気に開く圧力室２１を備えている。ポンプ１３を操作するレバー２２には、操作量に対するノズルの作動量の比率が操作の途中から急に増大するカム機構２３が設けられている。ノズル１５ａは、噴射口に向かってテーパー状に細くなる内部通路を有する。【選択図】図１
2014207956.tif 000002
【特許請求の範囲】
【請求項１】
液体の内容物を充填する容器と、内容物を加圧して噴射する噴射部材とからなり、
前記噴射部材が、液体の内容物を加圧する加圧機構と、加圧された内容物を外部に噴出する噴射ノズルとを備えており、内容物０．０５〜１ｍｌを０．０５〜１秒間で噴射し、飛距離が１〜５ｍである、
洗浄用の吐出製品。
【請求項２】
前記噴射ノズルが、噴射口に向かってテーパー状に細くなる内部通路を有するノズルを備えている、
請求項１記載の洗浄用の吐出製品。
【請求項３】
前記加圧機構が、操作により加圧された内圧が所定の値に達するまで噴射ノズルへの通路を開かず、所定の値に達したときに通路を一気に開く圧力室を備えている、
請求項１記載の洗浄用の吐出製品。
【請求項４】
前記噴射部材が、加圧機構の操作量に対する噴射ノズルの作動量の比率が操作の途中から急に増大する一気作動機構を備えている、
請求項１または２記載の洗浄用の吐出製品。
【請求項５】
前記一気作動機構が、加圧機構を所定の位置に操作したときに作動量が増大するカム機構である、
請求項３記載の洗浄用の吐出製品。
【請求項６】
前記一気作動機構が、加圧機構の操作力が所定の値に達するまで噴射ノズルを作動しないように係止し、所定の値に達したときに係止が外れる係止機構である、請求項３記載の洗浄用の吐出製品。
【請求項７】
前記加圧機構が容器の軸線を中心とした半径方向内側に押圧することによって操作するトリガーを備えており、
前記噴射ノズルが容器の軸線を中心とした半径方向外側に向いており、
前記噴射ノズルとトリガーとが、同じあるいは反対向きに設けられている、
請求項１記載の洗浄用の吐出製品。
【請求項８】
前記加圧機構が容器の軸線を中心とした半径方向内側に押圧することによって操作するトリガーを備えており、
前記噴射ノズルが容器の軸線上、上側を向いている、
請求項１記載の洗浄用の吐出製品。
【発明の詳細な説明】
【技術分野】
【０００１】
本発明はオーラルケアに用いる、歯間ないしポケット（歯と歯茎の隙間）の食べかすや歯垢、歯の表面の汚れ、歯垢を洗浄して除去する洗浄用の吐出製品に関し、とくに外出先で洗浄できるように携帯しやすくした洗浄用の吐出製品に関する。
【背景技術】
【０００２】
特許文献１には、歯の洗浄のために液滴の流れを使用するオーラルケアシステムが開示されている。このシステムは、エアタンクと、液体タンクと、両者から供給される液体およびエアを噴出するノズルとを備えたハンドヘルドのポータブルデバイスと、そのポータブルデバイスに高圧エアおよび液体を供給するベースユニットとを備えている。そしてこのシステムでは、ノズルから噴出する高圧エアと液体によって液滴が生成され、その液滴が毎秒２０メートルと毎秒２００メートルとの間の速度まで加速されるように、高圧エアおよび液体のノズルへの動きを制御する手段を有する。特許文献２（例えば図６）には、二重ステムのポンプ装置が開示されている。特許文献３には、内径が次第に増大する細流吐出用のノズルが開示されている。
【先行技術文献】
【特許文献】
【０００３】
【特許文献１】特表２００８−５２５０９５（特許第４９１８０４５）号公報
【特許文献２】特開２００２−２１９３８７号公報
【特許文献３】特開平５−２４６４７５号公報
【発明の概要】
【発明が解決しようとする課題】
【０００４】
特許文献１のオーラルケアシステムは液滴を生成するのに高圧エアを用いるので、エアタンクやコンプレッサーが必要である。また、それらのデバイスを収容するスペースが必要になる。さらにコンプレッサーを駆動する電源や、場合により加熱ヒータも必要である。そのため、システム全体として大型になり、持ち運びやすさに欠ける。すなわち特許文献１のシステムは、据え付けタイプとして用いられるものであり、持ち運びやすさについては考慮していない。本発明はコンプレッサーなどの複雑な装置を用いずに、従来と同等かそれ以上の使い易さを備えたオーラルケアに用いる吐出製品を提供することを課題としている。
【課題を解決するための手段】
【０００５】
本発明の洗浄用の吐出製品（請求項１）は、液体の内容物を充填する容器と、内容物を加圧して噴射する噴射部材とからなり、前記噴射部材が液体の内容物を加圧する加圧機構と、加圧された内容物を外部に噴出する噴射ノズルとを備えており、内容物０．０５〜１ｍｌを０．０５〜１秒間で噴射し、飛距離が１〜５ｍであることを特徴としている。
【０００６】
このような洗浄用の吐出製品においては、前記噴射ノズルが、噴射口に向かってテーパー状に細くなる内部通路を有するノズルを備えているものが好ましい（請求項２）。
前記加圧機構が、操作により加圧された内圧が所定の値に達するまで噴射ノズルへの通路を開かず、所定の値に達したときに通路を一気に開く圧力室を備えているものが好ましい（請求項３）。
また、前記噴射部材が、加圧機構の操作量に対する噴射ノズルの作動量の比率が操作の途中から急に増大する一気作動機構を備えているものが好ましい（請求項４）。
【０００７】
前記一気作動機構が、加圧機構を所定の位置に操作したときに作動量が増大するカム機構であるものが好ましい（請求項５）。また、前記一気作動機構が、加圧機構の操作力が所定の値に達するまで噴射ノズルを作動しないように係止し、所定の値に達したときに係止が外れる係止機構であるものが好ましい（請求項６）。
前記加圧機構が容器の軸線を中心とした半径方向内側に押圧することによって操作するトリガーを備えており、前記噴射ノズルが容器の軸線を中心とした半径方向外側に向いており、前記噴射ノズルとトリガーとが、同じあるいは反対向きに設けられているものが好ましい（請求項７）。
前記加圧機構が容器の軸線を中心とした半径方向内側に押圧することによって操作するトリガーを備えており、前記噴射ノズルが容器のステムと平行に、容器の軸線上、上側を向いているものが好ましい（請求項８）。
【発明の効果】
【０００８】
本発明の洗浄用の吐出製品（請求項１）では、噴射部材が液体の内容物を加圧する加圧機構と、加圧された内容物を外部に噴出する噴射ノズルとを備えており、噴射部材で内容物を加圧して噴射するので、コンプレッサーなどの高圧ガスを作成する装置を別個に設ける必要がない。内容物は液体のみでもよく、液体に気体が混ざった気液混合流体でもよいが、液体の場合は微粒子ないし噴霧とせずに液流として噴出することができ、噴射対象物に加わる力が大きくなり洗浄効果が高い。ただし噴射物の一部が微粒子化や噴霧化して噴出させてもよい。上記のように本発明の吐出製品では高圧を作成する装置を別個に設ける必要がないので、全体として軽量で小型化にすることができ、携帯に適した吐出製品とすることができる。また、内容物０．０５〜１ｍｌを０．０５〜１秒間で噴射し、飛距離が１〜５ｍであるので、歯間のように狭い隙間やピンポイントの洗浄に適した勢いで噴出することができ、歯間に詰まった食べかすや歯の表面に付着した歯垢などの汚れを除去しやすい。
【０００９】
前記噴射ノズルが、噴射口に向かってテーパー状に細くなる内部通路を有するノズルを備えているものである場合（請求項２）は、噴射された液体の内容物は細流状になるので、歯間に噴射しやすく、歯間やポケットに残っている食べかすなどを除去しやすい。また、洗浄に適した勢いが得られやすい。
前記加圧機構が、操作により加圧された内圧が所定の値に達するまで噴射ノズルへの通路を開かず、所定の値に達したときに通路を一気に開く圧力室を備えている場合（請求項３）は、始めから高圧状態の内容物を噴射することができるため、勢いよく噴出して洗浄作用が高くなる。
【００１０】
前記噴射部材が、加圧機構の操作量に対する噴射ノズルの作動量の比率が操作の途中から急に増大する一気作動機構を備えている場合（請求項４）は、加圧機構を操作して噴射ノズルの作動量が急に増大したときに内容物を瞬時に高圧に加圧することができるため、少ない吐出量で勢いよく噴射することができ、洗浄作用が高く、垂れ落ちない。また、使用者による操作方法のばらつきをなくし、安定した洗浄効果が得られる。
【００１１】
前記一気作動機構が、加圧機構を所定の位置に操作したときに作動量が増大するカム機構である場合（請求項５）、加圧機構を一気に操作しやすく、圧力室を短時間に加圧することができ、圧力室内の内容物を勢いよく噴射しやすい。また、操作量と作動量の関係を比較的自由に定めることができる。
【００１２】
また、前記一気作動機構が、加圧機構の操作力が所定の値に達するまで噴射ノズルを作動しないように係止し、所定の値に達したときに係止が外れる係止機構である場合（請求項６）、圧力室を瞬時に大きく加圧することができ、圧力室内の内容物を勢いよく噴射しやすい。
【００１３】
前記加圧機構が容器の軸線を中心とした半径方向内側に押圧することによって操作するトリガーを備えており、前記噴射ノズルが容器の軸線を中心とした半径方向外側に向いており、前記噴射ノズルとトリガーとが、同じあるいは反対向きに設けられている場合（請求項７）、ノズルとトリガーとが平行しているため、ノズルを目的方向に定めやすい。特に、ノズルとトリガーとが反対向きに設けられている場合、ノズルを洗浄対象物（歯間）に近づけた状態でトリガーを人差し指で操作することができるためトリガーの操作がしやすい。また、容器と操作者の口周辺との間にトリガーを操作するための空間が不要になるため、ノズルを洗浄対象物に近づけやすい。そのため、ノズルを短くすることができ、正確に洗浄対象物を洗浄することができる。
前記加圧機構が容器の軸線を中心とした半径方向内側に押圧することによって操作するトリガーを備えており、前記噴射ノズルが容器のステムと平行に、容器の軸線上、上側を向いている場合、トリガーの操作方向（押圧方向）とノズルの向きとが交差しているため、操作方向にトリガーを押圧してもノズルがぶれることがなく、ノズルがぶれることによるノズルと歯茎との接触を防止でき、歯茎を傷つけることを防止できる。またノズルが容器の軸線上にあるため、容器のステムからノズルの先端まで内容物（洗浄液）の通路を真っ直ぐにすることができるため、加圧機構によって加圧された内容物（洗浄液）の屈曲部等との衝突によるエネルギー損失を回避でき、内容物（洗浄液）を勢いよく吐出でき、洗浄効果が高い。
【図面の簡単な説明】
【００１４】
【図１】図１ａは本発明の洗浄用の吐出製品の一実施形態を示す断面図、図１ｂはその吐出製品の作動状態を示す断面図である。
【図２】図１ａの吐出製品のポンプを示す要部拡大図である。
【図３】図２のポンプの加圧作用の説明図である。
【図４】図１ａの吐出製品のカム機構の作用を示す要部断面図である。
【図５】図５ａは本発明に関わる一気作動機構の他の実施形態を示す側面図、図５ｂはその一気作動機構の作動状態を示す側面図である。
【図６】図６ａは本発明の洗浄用の吐出製品のさらに他の実施形態を示す断面図、図６ｂ、ｃはさらに他の実施形態を断面図、一部断面図である。
【図７】図７ａは本発明の洗浄用の吐出製品のさらに他の実施形態を示す断面図、図７ｂはその吐出製品の作動状態を示す断面図である。
【図８】本発明の洗浄用の吐出製品のさらに他の実施形態を示す断面図である。
【発明を実施するための形態】
【００１５】
図１ａに示す吐出製品１０は口腔内洗浄用に使用するものであり、容器本体１１と、その上端の口部１２に取り付けられるポンプ１３と、そのポンプを容器本体に固定する装着リング１４と、ポンプ１３の吐出口に設けられる噴射ノズル１５とを備えている。噴射ノズル１５は、略Ｌ字状の噴射ノズル基部１５ｂと、その先端に取り付けられたノズル１５ａとからなる。この実施形態ではポンプ１３と噴射ノズル１５は噴射部材を構成しており、ポンプ１３は内容物を加圧する加圧機構である。前記容器本体１１は有底筒状で、上端には円筒状の口部１２が設けられ、口部の周囲には雄ネジ１２ａが形成されている。装着リング１４は、断面Ｌ字状で、内面に容器本体１１の雄ネジ１２ａと螺合する雌ネジ１４ａが設けられている。
【００１６】
図２に示すように、ポンプ１３は、筒状のハウジング１７と、そのハウジングを上下に摺動する内部ステム１８および外部ステム１９と、前記内部ステム１８を上向きに付勢するスプリング２０とを備えており、内部ステム１８のピストン１８ａと外部ステム１９のピストン１９ａの間に圧力室（蓄圧室）２１を有する二重ステム・蓄圧タイプのポンプである。このポンプ１３は所定の圧力に達するまで内容物をノズル１５ａに通さず、所定の
圧力になったとき通路を一気に開く圧力室２１を有する。このものは高圧吐出に適するが、さらに短時間操作で高圧吐出が容易なように、引き操作で外部ステム１９を下方に押す操作を行うトリガータイプのレバー２２を採用している。そしてレバー２２を一気に操作して短時間で圧力室を蓄圧して内容物を勢いよく噴射するように、レバー２２の操作量よりもステムの作動量を非線形に大きくするカム機構２３を噴射ノズル１５との間に採用している。すなわちカム機構２３は、レバー２２の操作量に対するステムの作動量の比率を一定とせず、途中から急激に増大するような非線形の対応関係にする一気作動機構（操作力契機タイプ）である。
【００１７】
ポンプ１３のハウジング１７は、下部の小径部２４と、その上側に連続する大径部２５とを備えており、大径部２５の上端には外に拡がるフランジ２６が設けられている。小径部２４は内部ステム１８のピストン１８ａが摺動する部位であり、この中に前述のスプリング２０を収容している。前記スプリング２０としては、圧縮コイルスプリングが好ましい。内部ステム１８のピストン１８ａは斜め上向きに突出する弾性変形可能な環状リップとして構成されている。大径部２５は外部ステム１９のピストン１９ａが摺動する部位である。外部ステム１９のピストン１９ａは、斜め下方に突出する弾性変形可能な環状リップとして構成されている。
【００１８】
前述の圧力室２１は、前記大径部２５と小径部２４の内周面と、内部ステム１８の外周面の間で、かつ、外部ステム１９のピストン１９ａと内部ステム１８のピストン１８ａの間の円筒状の空間によって形成される。それにより内部ステム１８と外部ステム１９が一緒に下降すると、図３に示すように、圧力室２１の容積がＳ1からＳ2に減少する。すなわち、「大径部２５の面積と小径部２４の面積の差にストロークを掛けた容積分（Ｓ1−Ｓ2）だけ圧力室２１の容積が減少する（図３参照）。したがってその分だけ圧力室２１内の内容物が加圧される。
【００１９】
ハウジング１７のフランジ２６は薄板環状のシール材２７を介して容器本体１１の口部１２の上端に載せられ、装着リング１４で締め付けられている。ハウジング１７の底部には孔２８が形成されており、その周囲に形成される筒状突起２９にはディップチューブ３０が装着されている。ハウジング１７の大径部２５の上端近辺には、容器本体内１１に空気を取り入れるための、ハウジング内外を連通する連通孔２５ａが形成されている。
【００２０】
ハウジング１７の小径部２４と大径部２５の間には段部３２が設けられ、その段部の上面には、内部ステム１８のピストン１８ａと弾力的に係合する環状突起３３が設けられている。この環状突起３３は、上向きに突出する弾性変形可能な環状のリップとして構成されており、内部ステム１８のピストン１８ａと当接して液シールを形成する。また大径部２５の上部には上に向かって拡がるテーパー部３５が設けられ、外部ステム１９が下方に加圧されるときに、外部ステム１９のピストン１９ａがテーパー部３５に沿って撓みながらスムーズに大径部２５内に入るようにガイドする。
【００２１】
内部ステム１８の下部は筒状で、上部は棒状である。筒状の部分３６の内部は下端に達する内容物の通路３７となっており、その通路の上部には、筒状の部分３６の内部から外部への内容物の流れを許し、外部から内部への内容物の流れを阻止する逆止弁３８が設けられている。図１、２の実施形態では、逆止弁３８は筒状の部分３６に形成された内部と外部を連通する孔３９と、筒状の部分３６の外周面に取り付けられた有底筒状の軟質の弾性部材４０とからなる。弾性部材４０の底部には、内部ステム１８の棒状の部分４１の根元が嵌合する孔が形成されている。棒状の部分４１の上端には上に向かって小径となるテーパー面４２が形成されている。
【００２２】
外部ステム１９は、内部ステム１８の棒状の部分４１を受け入れて摺動する筒部４３と
、その筒部４３の上端から連続して上方に延びる小径部４４と、筒部４３の下端の外周に設けた前述のピストン１９ａとからなる。小径部４４の上端は天面で塞がれており、その中央には噴射ノズル１５と連通する孔４５が形成されている。小径部４４の外周には噴射ノズル１５の噴射ノズル基部１５ｂが嵌合される。筒部４３と小径部４４とは段部４７を介して連続している。段部４７の内面の角は、内部ステム１８上端のテーパー面４２と係合するシール部とされている。筒部４３の外周は、レバー支持部４８に設けたガイド筒４９によって摺動自在にガイドされている。レバー支持部４８の下端には、ハウジング１７のフランジ２６と重ねて装着リング１４によって締め付けられるフランジ５０が設けられている。
【００２３】
レバー支持部４８は有底筒状の本体５２と、その本体の側壁から突出する支持アーム５３とを備えている。本体５２の底部５４の中央には孔が形成され、その孔の内周に前記ガイド筒４９が設けられている。レバー支持部４８の底部５４とハウジング１７のフランジ２６の間には、略カップ状のシール材５５が介在されている。シール材５５は、ガイド筒４９の外周から底面にかけて覆うと共に、その内周縁は外部ステム１９の筒部４３の外周と摺動自在に嵌合している。
【００２４】
図４に示すように、レバー支持部４８のアーム５３の上端には、レバー２２の後端が回動自在に連結されている。レバー２２の先端には指で引き操作するためのトリガー５６が設けられている。レバー２２の中央部の下面には、三角形状のカム５７が突設されており、噴射ノズル基部１５ｂには、そのカム５７と係合するピン５８が設けられている。カム５７とピン５８とは、前述のカム機構２３を構成している。このカム機構２３により、レバーのトリガー５６を操作し始めたときはトリガーの操作量よりも噴射ノズル基部１５ｂの作動量は小さく、トリガー５６の操作面が容器本体の軸線と平行する向きになったときにトリガー５６の操作量よりも噴射ノズル１５の作動量が急に大きくなるという、非線形に増大する増速作用が奏される。すなわち、レバー２２の操作の初期はカム５７のピン５８と当接している面が緩い傾斜であるので、ゆっくり下降するが、次第にその当接している面の角度が急になるため、操作の途中から急激にノズルの作動量が増加するという非線形の動きとなる。なお、この実施形態では、ピン５８は噴射ノズル基部１５ｂの側面から横向きに突出している。そのため、左右の力のバランスを考えると、ピン５８は左右一対で突出し、カム５７も２枚一対で設けるのが好ましい。
【００２５】
前記噴射ノズル１５は、噴射ノズル基部１５ｂに、先端に向かって次第に内径が細くなるノズル１５ａを装着しており、ノズル１５ａは噴霧用のような微小な径のオリフィスではなく、液体を細い流れで噴出させる、いわゆる細流ノズルである。そしてノズル１５ａの通路内面の傾斜角度が先端に向かって次第に緩やかに、すなわち中心線に対して緩やかな角度にされている細流ノズルを用いると、吐出された液が液滴状になって散らばりにくくなるため、噴射対象面に衝突した時の力が大きく、洗浄作用に優れ好ましい。なお、内容物を勢いよく細流状に噴射して歯間などの狭い部分に詰まった食べかすを吹き飛ばす除去効果が得られやすい点から、ノズル１５ａの先端の噴射口は断面積が０．０５〜１ｍｍ２、さらには０．１〜０．８ｍｍ２であることが好ましく、ノズル１５ａの基部の導入孔は０．２〜５ｍｍ２、さらには０．３〜３ｍｍ２であることが好ましく、ノズル１５ａの通路の内径が細くなる絞り部の長さは１〜２０ｍｍ、さらには２〜１０ｍｍであることが好ましい。
【００２６】
図１に戻って、容器本体１１にはハウジング１７の下端より低い位置に液面が来るように、たとえば容器の半分程度まで内容物５９が充填されている。上部の空間には空気が入っており、内容物５９が少なくなると、その分を埋めるように外部から空気が入り込む。内容物５９は、水などのオーラルケア用の液体であり、水道水、精製水、生理食塩水などの水でもよく、水に、ミントやメントールなどの口中清涼剤、塩化セチルピリジニウムや
イソプロピルメチルフェノールなどの殺菌消毒剤、グリチルリチン酸ジカリウムやトラネキサム酸などの抗炎症剤、キシリトールなどの甘味料、グリセリンなどの保湿剤、エタノールなどのアルコールなどを加えたものなどが用いられる。
【００２７】
上記のように構成される吐出製品１０は、図１ｂのようにレバー２２のトリガー５６を引くと、カム５７の傾斜面がピン５８を下向きに押し、噴射ノズル基部１５ｂが下降する。それにより外部ステム１９が下方に押され、ポンプ１３を作動する。このとき、前述のように、操作の途中からレバー２２のトリガー５６を少し引くだけでピン５８の押下げ量が飛躍的に増大するようになる。また、外部ステム１９が下方に押されていくとき、内部ステム１８はスプリング２０の付勢力より上向きに加圧されているため、内部ステムのテーパー面４２が外部ステムの段部４７と当接してシールされた状態で外部ステム１９と内部ステム１８は一体になって下降していく。そのとき、前述のように、［大径部２５と小径部２４の面積の差×ストローク］分の容積が減少するため、圧力室２１内の内容物が次第に加圧されていく。
【００２８】
そしてその圧力による内部ステム１８を下方に押圧する力がスプリング２０の付勢力を上回ると、内部ステム１８だけが下降して内容物は一気に吐出される。すなわち、内部ステム１８だけが下降して内部ステム１８の上端のテーパー面４２と外部ステム１９の段部４７の角との間に隙間が生じ、圧力室２１の内容物が内部ステム１８と外部ステム１９の間にできた隙間を通り、外部ステム１９の上端の孔４５、および噴射ノズル基部１５ｂ、ノズル１５ａを通って噴射口から外部に噴射される。なお、圧力室２１内の内容物５９は、通常は液体だけであるが、空気などのガスが含まれていてもよい。その場合でも次第に細くなるノズル１５ａの作用で内容物は細い液流となって一気に噴出する。
【００２９】
つぎにトリガー５６を引く力を緩めると、スプリング２０の付勢力で内部ステム１８が上昇して内部ステムのテーパー面４２が外部ステム１９の段部４７と当接してシールし、内部ステム１８の上端と係合する外部ステム１９も一緒に上昇する。それにより圧力室２１の容積が増大して内圧が下がるため、逆止弁３８が開き、ハウジング１７の小径部２４に残っている内容物が圧力室２１内に吸引される。同時にディップチューブ３０を経由して、内容物がハウジング１７内に吸い上げられる。それにより、次の吐出操作の準備が整う。
【００３０】
上記の吐出操作において、１回の操作で噴射される内容物は０．０５〜１ｍｌ程度が好ましく、とくに０．１〜０．８ｍｌが好ましい。前記の噴射量に調整する方法としては、噴射ノズルや外部ステムが下方への押し下げ量を制御する制御部材を設けることで調整することができる。また吐出する時間は０．０５〜１秒間の短時間とするのが好ましく、とくに０．１〜０．５秒間とするのが一層好ましい。吐出時間は、図１ａのようなカム機構により作動量を急激に増大させたり、図５ａのような支持突起６１を用いた係止機構により噴射ノズルを短時間で一気に押し下げるように制御すると、使用者による操作方法のばらつきをなくし、安定した洗浄効果が得られる。
【００３１】
噴射される内容物量を前述の範囲とし、かつ、前述の吐出時間で噴射することにより、液流の飛距離は１〜５ｍに調整しやすく、特に１．５〜３ｍに調整しやすい。飛距離が１ｍよりも短いと歯間に詰まった食べかすなどを除去しにくく、５ｍよりも長いと歯茎に当たったときに痛みを感じやすく、また、歯に当たったときに飛び散りが大きい。なお、飛距離は、ノズルを水平方向に向けて噴射したときのノズルと同じ高さで噴射物が到達した最長距離を測定した。
【００３２】
上記の吐出操作では、圧力室２１内を加圧するので、比較的強い操作力が必要である。そのため、使用者が操作力を緩めたり、ゆっくりと操作したり、場合により途中で止めて
しまう可能性がある。前述のカム機構２３は、操作の途中までは外部ステム１９が下がらないようにし、相当の力に達したときに一気に下がるようにしている。そのため、使用者は一気に操作することになり、短時間で強い噴出流を得ることができる。この水などの内容物の強い勢いの液流は、歯間や歯茎などの口腔内の洗浄に適し、歯間の食べかすの除去、歯垢の剥離などに役立つ。
【００３３】
図５ａ、図５ｂに示す吐出製品６０では、一気作動機構として、図４のカム機構２３に代えてレバー２２の下面に突設した板バネ状の支持突起６１を採用している（係止機構）。この支持突起６１は、通常は下端がレバー支持部４８の本体５２の段部６２に当接しており、レバー２２に押し下げる力が加わっても、ある程度の力までは耐えて、レバー２２が下降することを妨げる（図５ａ参照）。そのため、使用者がトリガー５６を引いてもレバー２２は下がらず、噴射は開始しない。
【００３４】
そして使用者のトリガー５６を引く力が所定のレベルを超えると、支持突起６１が撓み、その下端が段部６２から外れる。そしてレバー２２は一気に下降し、噴射ノズル基部１５ｂ、外部ステム１９および内部ステム１８を一気に下降させる（図５ｂ参照）。それにより図１、図２の吐出製品１０と同様に、圧力室内の内容物をノズルから勢いよく噴出させることができる。なお、図５ａ、図５ｂの吐出製品６０に図１の吐出製品１０と同様の圧力室２１を設けてもよい。また、カム機構２３を設けるようにしてもよい。
【００３５】
図６ａに示す吐出製品７０は、ノズル１５ａの向きと、レバー７１のトリガー７２の向きとが容器本体１１の軸線を挟んで１８０度反対向きとなっている。つまり、レバー７１のトリガー７２を引く力の向き（操作方向、押圧方向）と、ノズル１５ａの向き（内容物が吐出される向き）とが同じになったものである。そのため、操作者（歯間）に向かって内容物を吐出させる場合、容器を少し傾けた姿勢で把持し、人差し指でトリガー７２を操作できるため、吐出製品の重量は手のひらにかかり指先への負担が少なく、トリガー７２の操作がしやすい。また、トリガー７２がノズル１５ａと反対の位置にあるため、容器と操作者の口周囲との間にトリガー７２を操作するための空間が不要になり、ノズル１５ａを洗浄対象物（歯間）に近づけやすい。そのため、ノズル１５ａを短くすることができ、正確に使用することができる。
【００３６】
詳しくは、レバー支持部４８のアーム７３がその本体５２の側壁からノズル１５ａと半径方向同じ向きに突出している。アーム７３の上端には、レバー７１の後端が回動自在に連結されている。このレバー７１の先端に指で引き操作するためのトリガー７２が設けられている。レバー７１の中央部の下面には、噴射ノズル基部１５ｂに設けられているピン５８と摺動自在となるように半円凹状のピン受け部７４が形成されている。そのため、レバー７１のトリガー７２の引き操作に応じて、ノズル基部１５ｂがピン５８を介して下方に力を受ける。この吐出製品７０には、一気作動機構は設けられていない。しかし、図６ｂ、ｃに示すように一気作動機構を設けてもよい。例えば、図６ｂの吐出製品７０ａように、図５のような支持突起６１をレバー７１の下面に設けてもよい。また、図６ｃの吐出製品７０ｂのように、ピン受け部７４に代えて図４のカム５７を設けてもよい。なお、他の構成は、図１の吐出製品１０と実質的に同じである。
【００３７】
図７ａに示す吐出製品８０は、ノズル１５ａが上向きとなっている。つまり、レバー７１のトリガー７２を引く力の向き（操作方向、押圧方向）と、噴射ノズル１５の向き（内容物が吐出される向き）とが交差しているものである。この実施形態も図６ａに示す吐出製品７０と同様に、容器を少し傾けた姿勢で把持し、ノズル１５ａを洗浄対象物（歯間）に近づけた状態でトリガー７２を人差し指で操作することができ、吐出製品の重量は手のひらにかかり指先への負担が少なく、トリガー７２の操作がしやすい。また、容器と操作者の口周辺との間にトリガー７２を操作するための空間が不要になるため、ノズルを短く
することができ、正確に洗浄対象物を洗浄することができる。さらに、この実施形態では、操作者がトリガー７２の引き操作をしても、噴射ノズル１５のノズル１５ａは容器の軸線下方に少し移動するが横方向にぶれにくいため、ノズル１５ａが歯茎と接触することによる歯茎の損傷が防止され、安定して目的物に内容物を吐出することができる。図７ｂは、トリガー７２を操作した作動状態を示す。
【００３８】
詳しくは、噴射ノズル１５のノズル基部８１ａが真っ直ぐに上を向いた円筒状となっており、ノズル基部８１ａの側面上部に１８０度の間隔で２本のピン８３が形成されている。つまり、噴射ノズル１５の噴射ノズル基部８１ａからノズル１５ａの先端開口部までの内部通路８２が、外部ステム１９の孔４５から真っ直ぐになっており、加圧機構によって加圧された内容物（洗浄液）が内部通路８２を通るとき内部通路８２の内面等に衝突することによって失われるエネルギーを最小限にでき、内容物（洗浄液）を勢いよく吐出させることができる。また、レバー７１の中央部はノズル１５ａを通すべく開口しており、この実施形態では、平行した２枚の板状の天面部の間にノズル１５ａが挿入されており、それぞれの天面部の下面から下方に延びる側壁にピン８３を受ける下方に開口したピン受け８４が２個形成されている。他の構成は、図６の吐出製品７０と実質的に同じである。なお、図６ｂのように、この吐出製品８０にもレバー７１に一気作動機構を設けてもよい。
【００３９】
図８に示す吐出製品９０は、噴射ノズル１５のノズル１５ａの向きと、レバー７１のトリガー７２の向きとが１８０度反対向きになっている。つまり、レバー７１のトリガー７２を引く力の向き（操作方向、押圧方向）と、ノズル１５ａの向き（内容物が吐出される向き）とが同じになったものである。そのため、図６、７の吐出装置と同様に、トリガー７２の操作がしやすく、ノズル１５ａを洗浄対象物（歯間）に近づけやすい。また、吐出製品９０は、ノズル１５ａがレバー７１から離れて上方に設けられており、図１に比べてノズル１５ａが細く、小さくなっている。これによりノズル１５ａを口の奥に挿入することができ、奥の歯の隙間の洗浄も容易にできる。ノズル１５ａの細さは、例えば、歯間に挿入できる程度の細さが好ましい。また、ノズル１５ａの大きさは、装着したノズル１５ａを歯間に挿入したとき、そのノズル１５ａの先端がその奥の歯茎を傷つけない程度が好ましい。
【００４０】
詳しくは、吐出製品９０は、噴射ノズル１５が、ポンプ１３の小径部４４に装着されるノズル基部９１と、そのノズル基部９１の上端に装着され、上下方向に延びる筒部９２と、その筒部の先端に水平に装着されるノズル１５ａとを備えている。また、レバー７１の中央から後方にかけて筒部９２を通すべく長方形状の貫通孔７１ａが形成されている。そして、レバー７１の内側面の中央には、ノズル基部９１のピン９１ｃを受ける下方に開口した受け皿７１ｂが内側に突出して形成されている。
ノズル基部９１は、下端に小径部４４を装着する装着部９１ａを備えており、上端に筒部９２を装着する筒部装着部９１ｂを備えている。またノズル基部９１の側面上部には、ピン９１ｃが１８０度の間隔で形成されている。レバー７１を操作することにより、受け皿７１ｂ、ピン９１ｃを介してレバー７１の動作が噴射ノズル１５およびポンプに伝達される。
筒部９２は、上端が略垂直に屈曲しており、水平方向に開口した先端開口部９２ａが形成されている。この先端開口部９２ａには、筒状のノズル装着部材９３が装着されている。ノズル１５ａは、このノズル装着部材９３を介して筒部９２に装着されている。
ノズル装着部材９３は、先端開口部９２ａに挿入される挿入部９３ａと、先端側に突出した湾曲面９３ｂと、その間に設けられた環状のフランジ部９３ｃとからなる。湾曲面９３ｂの中心孔にノズル１５ａは挿入される。このノズル装着部材９３は、弾力性を有する材料から成形されるのが好ましい。このノズル装着部材９３に、歯茎を当てて、歯間にノズル１５ａを差し込んで歯間の洗浄を行うことにより、歯茎を傷つけることなく、確実な洗浄が可能となる。なお、ノズル１５ａを直接先端開口部９２ａに装着してもよい。つま
り、筒部９２の高さだけノズル１５ａは、レバー７１から離れて上方に設けられている。他の構成は、図７の吐出装置８０と実質的に同じものである。
【００４１】
前記実施形態では液体の内容物を加圧する加圧機構の操作手段としてトリガータイプのレバーを採用しているが、たとえば押し下げ式の押しボタンなども採用することができる。また、前記実施形態では、噴射ノズルとして噴射口に向かってテーパー状に細くなる内部通路を有するノズルを採用しているが、たとえば噴射口まで同径の内部通路を有するノズルを採用することができる。
【００４２】
［実施例１］
図５に示す支持突起６１からなる一気作動機構を備えた吐出装置６０に内容物（水道水）を充填し、水道水０．３ｍｌを０．２秒間で噴射した。ノズルは、噴射口の断面積が０．２５ｍｍ２、導入孔の断面積が０．７９ｍｍ２、絞り部の長さが３ｍｍであるものを用いた。
噴射物は細流状になり、飛距離は２ｍであった。この吐出製品を歯間に１回噴射すると噴射物が歯の隙間を通過して、歯間を洗浄できた。なお、荷重計（島津製作所製：ＥＺ-
ＴＥＳＴ）を用い、測定板に対して距離５ｃｍ、斜め４５度から噴射すると、垂直下方の噴射力は７０ｍＮであった。
【００４３】
［実施例２］
図１に示すカム機構２３および圧力室２１を備えた吐出装置に内容物（水道水）を充填し、水道水０．３ｍｌを０．３秒間で噴射した。ノズル１５ａは、噴射口の断面積が０．２５ｍｍ２、導入孔の断面積が０．７９ｍｍ２、絞り部の長さが５ｍｍであるものを用いた。
噴射物は細流状になり、飛距離は１．７ｍであった。この吐出製品を歯間に１回噴射すると噴射物が歯の隙間を通過して、歯間を洗浄できた。垂直下方の噴射力は６０ｍＮであった。
【符号の説明】
【００４４】
１０  吐出製品
１１  容器本体
１２  口部
１２ａ  雄ネジ
１３  ポンプ
１４  装着リング
１４ａ  雌ネジ
１５  噴射ノズル
１５ａ  ノズル
１５ｂ  噴射ノズル基部
１７  ハウジング
１８  内部ステム
１８ａ  ピストン
１９  外部ステム
１９ａ  ピストン
２０  スプリング
２１  圧力室
２２  レバー
２３  カム機構
２４  小径部
２５  大径部
２５ａ  連通孔
２６  フランジ
２７  シール材
２８  孔
２９  筒状突起
３０  ディップチューブ
３２  段部
３３  環状突起
３５  テーパー部
３６  筒状の部分
３７  内容物の通路
３８  逆止弁
３９  孔
４０  弾性部材
４１  棒状の部分
４２  テーパー面
４３  筒部
４４  小径部
４５  孔
４７  段部
４８  レバー支持部
４９  ガイド筒
５０  フランジ
５２  本体
５３  支持アーム
５４  底部
５５  シール材
５６  トリガー
５７  カム
５８  ピン
５９  内容物
６０  吐出製品
６１  支持突起
６２  段部
７０、７０ａ、７０ｂ  吐出製品
７１  レバー
７１ａ  貫通孔
７１ｂ  受け皿
７２  トリガー
７３  アーム
７４  ピン受け部
８０  吐出製品
８１ａ  ノズル基部
８２  内部通路
８３  ピン
８４  ピン受け
９０  吐出製品
９１  ノズル基部
９１ａ  装着部
９１ｂ  筒部装着部
９１ｃ  ピン
９２  筒部
９２ａ  先端開口部
９３  ノズル装着部材
９３ａ  挿入部
９３ｂ  湾曲面
９３ｃ  フランジ部
【図１】
2014207956.tif 000003
【図２】
2014207956.tif 000004
【図３】
2014207956.tif 000005
【図４】
2014207956.tif 000006
【図５】
2014207956.tif 000007
【図６】
2014207956.tif 000008
【図７】
2014207956.tif 000009
【図８】
2014207956.tif 000010